Podtech/llm-jp-corpus-v4-ja_patent huggingface dataset:
(57)【要約】【課題】本考案は電動自転車バッテリーカートリッジが使用され能力低下した場合、従来であれば新品購入していたカートリッジを蓄電池のみ交換することにより廃棄物低減、コスト低減をするための修理再生についての考案である。【解決手段】バッテリーカートリッジを分解し、各部品を点検清掃したのち、新しい蓄電池に交換してくみ上げることにより従来の能力に戻る効果が得られる。カートリッジ本体を再使用することにより廃棄物を減らすことにも役立つ。【選択図】図１
0003123634.tif 000002
【実用新案登録請求の範囲】
【請求項１】
電動自転車用充電式バッテリーカートリッジにおいて蓄電池部分が交換可能な形状となっていることを特徴とする電動工具用充電式バッテリーカートリッジ。
【請求項２】
バッテリーカートリッジにおいて、蓄電池部分と蓄電池以外の部分が分離可能な形状であることを特徴とするバッテリーカートリッジ。
【考案の詳細な説明】
【技術分野】
【０００１】本考案は使用され充電能力の衰えた電動自転車用充電式蓄電池の電池を入れ替え、従来の能力を発揮させる修理再生の考案である。
【技術背景】
【０００２】新品のバッテリーを使用、充電を繰り返すと充電式蓄電池が衰えていき徐々に能力が衰える。
充電後の使用時間が短くなったり、トルクが弱くなったりする。
【０００３】そのため新品のバッテリーを購入し使用することが必要になってくる。
古くなったバッテリーカートリッジは廃棄される。
【考案の開示】
【考案が解決しようとする課題】
【０００４】新品のバッテリーを繰り返し使用することで起こる能力の低下で新品を購入するコストを抑えることと、部品再利用することにより資源の無駄を省くことを目的とする。
【課題を解決するための手段】
【０００５】カートリッジの中の蓄電池を取り替え、サーモスタット、ヒューズ、プラスチックの本体等を再使用することにより、安価に修理され元の能力を取り戻すことが可能となる。
新品のバッテリーを繰り返し使用することで起こる能力の低下で新規に購入するコストを抑えるため、中身の蓄電池のみを交換することにより能力を安価で復活させる。
【考案の効果】
【０００６】本考案の電動自転車用バッテリーカートリッジの修理再生は能力の衰えたバッテリーカートリッジ内の蓄電池や劣化部品のみを交換し能力を復活させることにより廃棄物の低減とコスト低減を図り、通常通り使用出来るようにする事を効果とする。
【考案を実施するための最良の形態】
【０００７】電動工具用バッテリーカートリッジを分解し、端子、ヒューズ、サーモスタット等の部品の点検、清掃、不具合部品の交換を行う。
蓄電池は新品に交換し各部品を組み込み、修理再生を完了する。
【実用例】
【０００８】以下、添付図面に従って本考案の一実例を説明する。
まず全体図の図１はバッテリーカートリッジ全体図である。
【０００９】図面１の▲１▼の部分のネジ又は溶着部分のカットを行い分解する。
図１の▲２▼が分解された内部の交換する蓄電池部分である。
図１の▲３▼は基盤、ヒューズ部品であり、異常なきことを点検し再使用、又は交換を行い組み付ける。
図１の▲４▼は端子部分である。
端子部分は変形、摩耗を点検し清掃、又は交換し組み付ける。
【００１０】その他、本考案を実施するための最良の構成、形態、方法などは、以上の記載で開示されているが、本考案はこれに限定されるものではない。
すなわち、以上の記載は、主に特定の実施例に関して図示され、かつ説明されているが、本考案の技術的思想および目的の範囲から逸脱することなく、以上述べた実施例に対し、材質、形状、数量、その他の構成において、当業者が様々な変形を加えることができる。
【００１１】従って、以上に開示した材質、形状、数量などを限定した記載は、本考案の理解を容易にするために例示的に記載したものであり、本考案を限定するものではない。そのため、それらの材質、形状、数量などの一部もしくは全部の限定を外した記載は、本考案の技術的範囲に含まれる。
【産業上の利用可能性】
【００１２】建築、内装関係、工場等の電動工具使用において使用頻度の高い業種ではバッテリーの劣化が早く、交換率が高くなる。
そのため新品購入ではコストがかかり能力の衰えたバッテリーでは作業効率も悪くなるが、修理再生バッテリーを利用することにより安価での購入が可能となり、効率向上が可能となる。
【図面の簡単な説明】
【００１３】
【図１】バッテリーカートリッジの横面図
【符号の説明】
【００１４】図１、バッテリーカートリッジ全体図
▲１▼、分解時の結合部
▲２▼、分解された蓄電池状態図
▲３▼、ヒューズ、基盤部品
▲４▼、端子部品
【図１】
0003123634.tif 000003
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
電動工具用充電式バッテリーカートリッジにおいて、前記電動工具用充電式バッテリーカートリッジは、交換可能な蓄電池と、前記蓄電池を収納する収納部分と、からなることを特徴とする電動工具用充電式バッテリーカートリッジ。
【請求項２】
バッテリーカートリッジにおいて、前記バッテリーカートリッジは蓄電池部分と、前記蓄電池を分離可能な蓄電池以外の部分と、からなることを特徴とするバッテリーカートリッジ。
(57)【要約】      （修正有）【課題】平常に洋服を掛けておくのに、部屋の飾りにもなる装飾性のある洋服カバーを提供する。【解決手段】布製にして前布を交差させ、掛け外しが容易になるよう。また、部屋にそのまま掛けて置けるようにした洋服カバーである。【選択図】図１
0003123626.tif 000002
【実用新案登録請求の範囲】
【請求項１】
布製にして、インテリア性と機能性を持たせた洋服カバー。
【考案の詳細な説明】
【技術分野】
【０００１】  この考案は、平常に洋服を掛けておくのに部屋の飾りにもなるように布製にしたものである。
【背景技術】
【０００２】  従来、不織布等で上から下まで覆うように作られていた。
【考案の開示】
【考案が解決しようとする課題】
【０００３】  そのために次のような問題点があった。
クローゼットの中に保管しておかなければならない。カバーの裾を上にまで持ち上げて、服を掛けたりはずしたりしなければならなかった。
【課題を解決するための手段】
【０００４】  布製にして前布を交差させ、掛け外しが容易になるよう。また、部屋にそのまま掛けて置けるようにする。
【考案の効果】
【０００５】  柄のある布製で装飾性と、カバーとして幾つかの機能性を持たせた。
【考案を実施するための最良の形態】
【０００６】  以下本考案の機能性実施の形態について説明する。
▲１▼布の柔らかい特性を活かし、前布を交差させ、掛け外しを容易にする。
▲２▼まちを入れたり、丈や肩幅を調節する事により、シャツから厚手のコートまでカバーする事が出来る。
▲３▼布製にする事で洗濯が出来、半永久的に使用できる。
▲４▼布の柄を活かしクローゼットにしまうだけでなく、そのまま部屋に掛けてインテリアともする事が出来る。
【図面の簡単な説明】
【０００７】
【図１】  本考案の正面図
【図２】  本考案の前布を開いた状態を示す説明図
【図１】
0003123626.tif 000003
【図２】
0003123626.tif 000004
【手続補正書】
【提出日】平成18年4月12日(2006.4.12)
【手続補正１】
【補正対象書類名】実用新案登録請求の範囲
【補正対象項目名】全文
【補正方法】変更
【補正の内容】
【実用新案登録請求の範囲】
【請求項１】
布製にして前布を交差させ、掛け外しが容易になるようにし、部屋にそのままかけて置けるようにしたのを特徴とする洋服カバー。
(57)【要約】      （修正有）【課題】ＣＤケースの新しい価値感を持つ方式の提供。【解決手段】右側から左へ開ける現行の方式から、下側から上へと開ける方式を取る。そして、ディスク収納トレイと蓋アクリル部の接点を斜めの形状にすることで、ＣＤケース自体に立体的外観の主張を持たせる。【選択図】図１
0003123625.tif 000002
【実用新案登録請求の範囲】
【請求項１】
ディスクの収納ケースとしての本アイディア
【考案の詳細な説明】
【技術分野】
【０００１】音楽ＣＤ収納部となるケースの構造に関わる
【背景技術】
【０００２】１００％の割合といってもいいほど、ＣＤケースのスタイルは、オープン時に蓋が右から左へと開く方法を取っている。
【考案の開示】
【考案が解決しようとする課題】
【０００３】ＣＤが普及してから既に２０年近く経過しており、そろそろそのスタイルに新しい提示があっても良い時期だと考える。この考案は、ユーザーが使用時に必要となるＣＤ取り出し行為にまつわる、ＣＤの新しい魅力を提示することになる。
【課題を解決するための手段】
【０００４】ケースサイズはそのままで、ＣＤケース蓋を右から左ではなくて、下から上へと開けることとする。図面４がそのオープン時の状態である。
【考案の効果】
【０００５】ＣＤの蓋を開けた際、ＣＤリスニング中にそのままの状態で蓋を立てかけることによって、再びフタを元に戻した状態にするより視覚的に倍の広さに値する主張を持っている。ＣＤの弱点である、アナログ時代に持ち得たあのジャケットの広さでの主張には及ばないが、その代わりにこれは、平面的ではない３次元としての表現性を持っている。
【考案を実施するための最良の形態】
【０００６】図面１は、ＣＤケースの蓋の部分のストッパー機構を図示したものである。蓋部分である▲１▼の端部を図のように加工することで、ＣＤケース背面部になる▲２▼の形状と重なる部分が出来、そこでオープン時にロックすることも、また収納時には元通りに形に収まることも出来る。【０００７】この方法を取ると、ＣＤタイトルが存在する左右側面のアクリル面が分割されてしまうため、図面２の正面図のように左右面と中央の蓋部分を、▲４▼の位置で分割させる。▲１▼側がＣＤタイトル表示部で、▲２▼がＣＤの表側のアクリル蓋部分である。こうすることで▲１▼側から▲３▼側までの、側面タイトルから背面ジャケットまでの紙表示が、従来と同じに一枚の紙で済むこととなる。【０００８】図面３はＣＤ蓋を取り除いた状態の側面図、そして左右側面より内側に入った位置の面である。図面２で言うところの▲４▼の位置に相当する側面である。図面２の▲５▼の面は、この図面３の▲３▼のようにＣＤケースの上部の奥側に、ほんのわずかなラウンド、または斜めに下降させる必要性が出てくる。そうしない場合、歌詞カード収納部である表アクリル部がケース上面の角にぶつかる可能性がある。しかし、この位置のそれらの加工は使用する上では何ら不都合の生まれる場所ではない。左右タイトル部は別の側面部になるため、ＣＤの表と裏を除いた上下左右の外周面からは、視覚上で普通のＣＤと変わるものにはならない。
【実施例】
【０００９】図面４はＣＤケースオープン時を開けた時の立体図である。▲１▼の歌詞カード裏表紙を、上下逆に表示させることにより、歌詞カードを取り出さないまま、斜めの状態でその部分を固定させたままユーザーへの立体提示が可能になる。これは、従来の音楽ＣＤスタイルでは有り得なかった視覚提示である。そして音楽を鑑賞するという行為を、どことなく鑑賞会らしいハイエッセンスなものへと雰囲気的に昇華できる。またその歌詞カード裏面は、ＣＤを購買しない限りはユーザーが見ることの出来ないＣＤジャケットの裏側である。オープン時のケースが邪魔になる場合は、またフタを閉じれば元のサイズに収まる。
【産業上の利用可能性】
【００１０】昨今、わが国では音楽ＣＤ売り上げが減少しており、このように新しい魅力をソフト側でも提示する必要があるように感じる。そして、音楽ソフト業界自体の活性化は、ハード機器側へも影響を与える関係性を持っている。
【図面の簡単な説明】
【００１１】図面１が、オープン時のロック機構を表したもの、図面２はＣＤケース正面から見た位置関係を示したもの、図面３が、ロック部よりさらに内側の構造を示したもの、図面４は、本考案の外観の概略図である。
【図１】
0003123625.tif 000003
【図２】
0003123625.tif 000004
【図３】
0003123625.tif 000005
【図４】
0003123625.tif 000006
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
コンパクトディスクの収納ケース蓋を下から上へ開け、オープン時に斜度を持たせ縦方向にストッパー機構を持たすことで、ケース自体に立体提示を可能とするコンパクトディスク収納ケース
(57)【要約】【課題】本考案は、所持品につける名札の煩わしさや抵抗感を減少させ、名札容器により美観と愛着を向上させる。それにより使用者が多くなれば、紛失した場合の発見が迅速化される。【解決手段】名札は必ずしも外から判明できなくても、名前、連絡先等追及できる状態であれば、その目的は果たせる場合が多い。その為、名前、連絡先等を記入した紙をいれる容器を使用することにより名札をつける抵抗感をなくし、かつ、外見上の美観化と容器の多目的利用を可能にした。（名札革命）【選択図】図１
0003123624.tif 000002
【実用新案登録請求の範囲】
【請求項１】
着脱可能で、ネジにより二つに分離できる容器を固定する棒（連結固定棒）を使用した名札小物等を収納する吊り下げ小型容器。
容器とは、名札等小物を収容する機能をもち、かつ収納物が外に出ないよう蓋のできる構造とし、連結固定棒を使用しなくとも、容器の目的を果たせるものとする。
連結固定棒とは、容器の上下穴より、分離した連結棒を夫々さしこみ、双方ネジ式により容器を固定するとともに、キーホルダーや他の装飾品と連結する機能をもつ。
【考案の詳細な説明】
【技術分野】
【０００１】  本考案は、名札・連絡先等を収納できる小型容器で、キーホルダー等の吊り下げ装飾品に関するものである。
【背景技術】
【０００２】  従来は、平面体の名札がほとんどで、キーホルダー等の吊り下げ装飾品としての利用は、少なかった。
【考案の開示】
【考案が解決しようとする課題】
【０００３】  名札は、所有者の確定に必要なものであるが、平面体の名札は、日常持ち歩く所持品にたいし、外見上からあまり利用されていない状況下にある。
所持品を紛失した場合等名札の重要性を再確認し、抵抗なく簡単に装着でき、装飾品としての容器を使用することにより、前述の課題を解決しようとするものである。
【課題を解決するための手段】
【０００４】  本考案は、名札（連絡先等）を記入した紙を収納する容器を作成することにより美観を保ち、かつ、簡単に取り付けでき、名札としての目的を果たせるようにした。なお、容器と着脱可能で二つに分離できる中心連結棒を使用し、容器の固定と他の装飾品（キーホルダー、ストラップ等）との連結を可能にした。
【考案の効果】
【０００５】  現在、よく利用されている、キーホルダー、携帯ストラップ等に簡単に装着できることにより、名札のつける煩わしさがなくなり、所持品等が紛失した場合、発見される可能性が一段と向上する。
また、容器の中に、名前、連絡先だけでなく、願い事、努力目標等を記入した紙を入れることにより、愛着のもてる商品となる。
しかも、現在使用している装飾品と入れ替えるのではなく、連結するのみである。
【考案を実施するための最良の形態】
【０００６】  容器の中心連結棒を外し、容器を開きその中に名前、連絡先等を記入した紙をいれ、容器をしめる。
容器の上下穴から、外した連結棒を差し込み、ねじることにより、容器と連結棒を固定する。
連結棒の両端についている輪の一方は、所持品とキーホルダー、ひも等でつなぎ他方の輪は、現在しようしている装飾品とつなぐ。
なお、ストラップ等の紐との連結は、連結棒を取り外し、直接容器の穴に紐を通して使用することも可能である。
【実施例】
【０００７】  以下、添付図面に従って一実施例を説明する。
１はプラスチック等適宜素材にて形成された名札収納容器本体で、本体は上下に分割できる（１ａ、１ｂ）。２は容器の中で空洞となっており、名札、連絡先等をいれる場所となる。３は容器を上下に開いた接合部であり、ネジの溝が施されている。
容器内に目的物を収めた後、容器の上下双方をねじって固定する。【０００８】４は金属製の中心棒で、容器の固定と所持品への連結、及び他の装飾品と連結の役目をする。５は棒の中心部で二つに取り外せる構造（４ａ，４ｂ）になっており、双方差し込みネジ方式により容器と中心棒を固定する。（＝固定棒）
６は固定棒の両端に位置する輪であり、一方は所持品との連結、他方は、その他装飾品との連結する為の部分である。【０００９】  本考案の一部実施例は上述の如き構成からなるものであるが、容器内２には、名札、連絡先等のみでなく、願い事、努力目標、写真等をいれることにより、容器に対する愛着が増し、本来の名札装着が推進される。
【図面の簡単な説明】
【００１０】
【図１】  考案の容器を示した縦断面図および容器を固定する連結棒の図である。
【図２】  考案の容器を使用した応用図である
【符号の説明】
【００１１】１      容器の縦断面図→上下に分割できる
２      容器の中（空洞）
３      容器を上下に分割したときの接合部
４      容器を固定するための中心固定棒（金属製）
５      固定棒の中心部分
６      固定棒の両端（輪＝他との接続部分）
７      容器をキーホルダーと連結した全体図
８      容器をストラップの紐に通した全体図
【図１】
0003123624.tif 000003
【図２】
0003123624.tif 000004
【手続補正書】
【提出日】平成18年4月19日(2006.4.19)
【手続補正１】
【補正対象書類名】実用新案登録請求の範囲
【補正対象項目名】全文
【補正方法】変更
【補正の内容】
【実用新案登録請求の範囲】
【請求項１】
着脱可能で、ネジにより二つに分離できる連結固定棒を使用した、名札願い事小物等を収納する吊り下げ小型容器であり収納物が外に出ないよう、容器自体蓋のできる構造となっており、かつ連結固定棒を容器から取り除いても容器の上下穴に紐を通して、一方は所有物、他方はキーホルダー装飾品と連結させることが可能な小型名札容器。
(57)【要約】【課題】歯ブラシで前歯の裏側を容易に磨く事が出来る様にする。【解決手段】従来の歯ブラシの取っ手側のブラシ部の先端を取っ手側に曲げる事で前歯の裏側を磨き易くした。【選択図】図１
0003123629.tif 000002
【実用新案登録請求の範囲】
【請求項１】
従来の歯ブラシの、取っ手側のブラシ部の先端を数ｍｍ程度約９０度取っ手側に曲げる。
【考案の詳細な説明】
【考案が解決しようとする課題】
【０００１】従来の歯ブラシでは前歯の裏側を容易に磨くことが出来ないという問題を有していた。
【課題を解決するための手段】
【０００２】上記の目的を達成する為に歯ブラシの取っ手側のブラシ部の先端を取っ手側に曲げる事で前歯の裏側を磨き易くした。
【考案の効果】
【０００３】考案の歯ブラシを口の中から引き出す様に使用すれば上下前歯の裏側を容易に磨く事が出来る。
【図面の簡単な説明】
【図１】考案の歯ブラシを示した平面図、側面図である。
【符号の説明】
【０００４】１  歯ブラシの取っ手側のブラシ部の先端を取っ手側に曲げた歯ブラシ
【図１】
0003123629.tif 000003
【手続補正書】
【提出日】平成18年4月21日(2006.4.21)
【手続補正１】
【補正対象書類名】実用新案登録請求の範囲
【補正対象項目名】全文
【補正方法】変更
【補正の内容】
【実用新案登録請求の範囲】
【請求項１】
歯ブラシの、取っ手側のブラシ部の先端を数ｍｍ程度約９０度取っ手側に曲げた、前歯の裏側を磨く事が出来る歯ブラシ。
(57)【要約】      （修正有）【課題】作業者の身体を、完璧に粉塵から防護する。【解決手段】高度な防ばく性のある不織布を素材とする。また、首の上部、あご部分にすきまが出来ないように、テープ状の形でとめるデザインにする。また、靴カバーを、靴底の形とフィットするようにする。また、ファスナー部分も覆い、両面テープによって、さらにその覆いを固定する。【選択図】図１
0003123628.tif 000002
【実用新案登録請求の範囲】
【請求項１】
アスベスト除去工事の際、施工する作業者が身体防護の目的で着る防塵作業衣。
頭をおおうフードから、胴体、両腕、両脚を入れて、作業靴までを包み込み、着脱はファスナーにより行う。
素材は、不織布より出来ており、薄く軽いが、飛散したアスベスト粉塵は通さない。
【考案の詳細な説明】
【技術分野】
【０００１】本件は、アスベストその他の粉塵から、作業者の身体を防護する作業衣に関するものである。
【技術背景】
【０００２】日本国内で、建築物にかかるアスベストに関心が深まり、官公庁及び民間において、アスベスト除去工事が増加した。
【考案の開示】
【０００３】（絵をかく）
【考案が解決しようとする課題】
【０００４】防ばく性能の効率。身体と防護服とのフィット力。
【課題を解決するための手段】
【０００５】防御率。
あごの部分のテープの形と、靴底の形に一致した足カバーのデザインでフィット力に努めた。また、両面テープの使用により、防護の確実性を高めた。
【図面の簡単な説明】
【０００６】
【図１】アスベスト除去工事及びその他の工事で、身体保護の目的で着る防塵作業衣の前面部分である。
【図２】アスベスト除去工事及びその他の工事で、身体保護の目的で着る防塵作業衣の後面部分と足先部分である。
【図１】
0003123628.tif 000003
【図２】
0003123628.tif 000004
【手続補正書】
【提出日】平成18年4月24日(2006.4.24)
【手続補正１】
【補正対象書類名】実用新案登録請求の範囲
【補正対象項目名】全文
【補正方法】変更
【補正の内容】
【実用新案登録請求の範囲】
【請求項１】
アスベスト除去工事の際、施工する作業者が身体防護の目的で着用し、頭をおおうフードに胴体、両腕、両脚があり、作業靴はカバーで包み込む形状を有し、素材は不織布より出来ており、薄く軽いが、飛散したアスベスト粉塵は通しにくい防塵作業衣。
(57)【要約】【課題】  植木鉢への組み合わせが簡単にでき、鉢物の抜き取り株分け根の状態が簡単に確認出来る植木鉢及びそれに係る仕切鉢を提供する。【解決手段】  仕切鉢全体及び上部縁周囲に柔軟性を持たせ植木鉢との組み合わせがし易く、かつ透明で根の確認のし易く底面に吸水布を取り付けられることを特徴とする。【選択図】図１
0003123676.tif 000002
【実用新案登録請求の範囲】
【請求項１】
仕切壁により区画された複数の植え込み区画を有する仕切鉢で底面の区画毎に通水孔を形成する、この上部仕切交差部分の中心を若干低く形成することにより植え込む植物が安定することを特徴とする仕切鉢。
【請求項２】
前記仕切鉢は全体を透明にすることにより上部より根分けをよくすることと根の状態を確認出来、植木鉢に組み合わせることを特徴とする請求項１に記載の仕切鉢。
【請求項３】
前記仕切鉢は全体に柔軟性を持たせ、仕切鉢上部周囲は特に柔軟性を持たせる事により植木鉢の大きさに合わせ組み合わせ効果が十分に得られるように仕切鉢と植木鉢が密着し、使用可能にする事を特徴とする請求項１〜２いずれかに記載の仕切鉢。
【考案の詳細な説明】
【技術分野】
【０００１】  本考案は、鉢植えの植物の株分け期間を長くし生育に影響を与えず簡単に株分け出来る仕切鉢に関するものである。
【背景技術】
【０００２】  従来の植木鉢は、一つの空間で底面には通水孔が形成され植物が生育する事に鉢替えによる植え替えを行い植物と共に鑑賞している。更に株分けによる小分けをする場合、一般に成長が止まった時期に絡み合った根をほぐし傷んだ根を切り取り小さくしてから鉢植えにして育てているという栽培鑑賞方法で利用している。
【特許文献】  実開平７−１３１３２号  公報
【考案の開示】
【考案が解決しようとする課題】
【０００３】  これは次のような欠点があった。
鉢植えの植物は栽培、鑑賞している間に根は縦横自在に絡み合い鉢替え、株分けしたい時には成長の止まった時期を選ぶか株を傷めても養生しながら育てる覚悟で株分けが必要であった。このため、芽を傷めたり親株まで傷めたりする事もあり経験を必要とする作業をしていた。【０００４】  本考案は、この欠点の課題を解決するためになされたものである。
【課題を解決するための手段】
【０００５】  本考案は、株の下に仕切壁を設ける事により、最初から根の方向を決めその区画範囲で自在に根を伸ばし株分け時の根の傷みを最小限に押さえることにより株分け出来る時期を大幅に広げる効果を特徴とし、品質の良い植物を栽培鑑賞出来る仕切鉢を提供する。【０００６】  前記仕切鉢は通水孔に吸水布を着脱出来るように構成し吸水布の有無に係わらず両用に使用可能に形成し構成したものである。【０００７】  前記仕切鉢の全体及び上部周囲は、柔軟性を持たせることにより、植木鉢に密着させ仕切の効果を十分発揮出来るように設けることが出来る。
【考案の効果】
【０００８】  本考案を使用することによって鉢物植物の株分けが手軽になり、鉢物栽培鑑賞する人が、株分け時期や経験によらず使用できる。又、株分けや受け皿に水を入れての管理も出来、気軽に鉢物栽培を楽しむ事が出来る。
【考案を実施するための最良の形態】
【０００９】  以下、本考案の実施形態を図１〜図４に基づいて説明する。
図１は仕切鉢を示している。この仕切鉢は鉢の中を仕切る形で外側鉢１，縁羽根２，間仕切り羽根３，通水孔４，を具備している。【００１０】  前記部材の外側鉢１，縁羽根２は植木鉢に組み合う形での縁羽根で、植木鉢の内側に密着出来るよう形成されている。【００１１】  前記仕切鉢は植える植物に合わせて植木鉢の中に２／３程度又は若干低く落ち着くよう組み合わせて植物を植え込み栽培することにより更に効果が期待出来る。【００１２】  図２の断面図で示すように、この仕切鉢は鉢内で根の伸びる方向を各仕切内ごとにまとめ、上部の株と下の根が一体感を持たせるように育てる事で、縦に切断しても植物への生育への影響を最小限に抑える事が出来る。【００１３】  前記部材は全体に柔軟性部材により形成された仕切鉢で痛みにくく、似たサイズの植木鉢等へ組替えられる事により鑑賞用の飾り鉢でも株分け準備をしながら栽培出来る。【００１４】  更に前記仕切鉢の底面通水孔に吸水布を取り付けて、受け皿に水を入れ、毛細管現象にて鉢物植物への受け皿による根ぐされ防止の水やり管理をすることが出来る。【００１５】  前記仕切鉢は透明な部材で形成することにより、植木鉢より仕切鉢を取り外し根の伸び具合を簡単に確認出来、その株及び根の状態を確認しながら株分け時期を判断することが出来る。
【図面の簡単な説明】
【００１６】
【図１】  本考案の正面図である。
【図２】  本考案のＡ−Ａ線断面図である。
【図３】  本考案の仕切鉢の使用例の断面図である。
【図４】  本考案の区切った数例の平面図である。
【符号の説明】
【００１７】  １    仕切鉢（外側）
２    縁羽根
３    間仕切り羽根
４    通水孔
５    吸水布
６    受け皿
【図１】
0003123676.tif 000003
【図２】
0003123676.tif 000004
【図３】
0003123676.tif 000005
【図４】
0003123676.tif 000006
(57)【要約】      （修正有）【課題】設置が困難で，動物を逸失してしまうことが多かった従来の不都合を解消する。【解決手段】塩化ビニル製の円柱状器具の上端に１のとおりの穴を何個か開け，小木片を差し込んで，木製円形の踏み板をはめ込み，小木片で踏み板を止めて置く。ワイヤーガード２本は，やや水平に近い状態で踏み板に取り付けられているが，円柱状器具より大きい状態である。切り込みは，前側スプリングガードをはめ込むためのものである。安全ピンは，設置が完了した後に取り外す。動物が踏み板を踏めば，踏み板は下に落ちるが，ワイヤーガードは円柱状器具の中に入れず上側へはね上がり，動物を捕獲する。【選択図】図３
0003123679.tif 000002
【実用新案登録請求の範囲】
【請求項１】
半円形のワイヤーガード２本を向かい合わせて取り付けた木製の円形板を，塩化ビニル製の円柱状器具の中にはめ込んだことを特徴とする野性動物捕獲用具。
【考案の詳細な説明】
【技術分野】
【０００１】本考案は，野性動物の捕獲用具に関するものである。
【背景技術】
【０００２】従来は，単に円形のワイヤーを土中に埋設しているものが多かった（図７）。
【考案の開示】
【考案が解決しようとする課題】
【０００３】従来の用具は，設置が困難なことが多く，かつ，動物がその上を通過しても，その動物を逸失してしまうことが多かった。
【課題を解決するための手段】
【０００４】そこで，本考案にかかる用具を動物の通路に埋設することにした（図６）。動物がこの用具の円形板３（踏み板，図２）を踏めばやや水平に近い状態に設置された半円形のワイヤーガード４の２本が垂直に近い状態に締まり，動物を捕獲できる。このワイヤーガードには，ワイヤーをはめ込む溝６が設けられている（図５）。
【考案の効果】
【０００５】本考案にかかる捕獲用具は，設置が簡単で，かつ，動物の捕獲率が高い。
【考案を実施するための最良の形態】
【０００６】塩化ビニル製の円柱状器具（図１）の上端に１のとおりの穴を何個か開け，小木片を差し込んで，木製円形の踏み板（図２）をはめ込み，小木片で踏み板を止めて置く（図３）。
ワイヤーガード２本は，やや水平に近い状態で踏み板に取り付けられているが，円柱状器具より大きい状態である。切り込み２は，図７の前側スプリングガード８をはめ込むためのものである。安全ピン５は，設置が完了した後に取り外す。動物が踏み板を踏めば，踏み板は下に落ちるが，ワイヤーガードは円柱状器具の中に入れず上側へはね上がり，動物を捕獲する。
【図面の簡単な説明】
【０００７】
【図１】  塩化ビニル製円柱状器具の斜視図。
【図２】  木製の踏み板に，半円形のワイヤーガード２本を向かい合わせて取り付けた状態の斜視図。
【図３】  図２の踏み板を図１の円柱状器具にはめ込もうとする前の状態の斜視図。
【図４】  本考案にかかる用具の平面図。
【図５】  本考案にかかる用具の側面図。ただし，切り込みの側から見たもの。
【図６】  本考案にかかる用具を埋設した時の側面図。
【図７】  本考案にかかる用具に取り付ける器具の斜視図。ただし，本図は，参考図とする。
【符号の説明】
【０００８】１        小木片を差し込む穴
２        切り込み
３        踏み板
４        ワイヤーガード
５        安全ピン
６        ワイヤー取り付け用の溝
７        ワイヤー
８        前側スプリングガード
９        スプリング
１０      後側スプリングガード
１１      ストッパー
【図１】
0003123679.tif 000003
【図２】
0003123679.tif 000004
【図３】
0003123679.tif 000005
【図４】
0003123679.tif 000006
【図５】
0003123679.tif 000007
【図６】
0003123679.tif 000008
【図７】
0003123679.tif 000009
(57)【要約】      （修正有）【課題】脱水機用内蓋にハンドルを設け、簡単に取り出し易くする。【解決手段】内蓋本体にハンドル部分を設け。容易に内蓋を取り出す事が出来、便利で安心なものとなり、毎日の暮らしに役立つ。【選択図】図１
0003123673.tif 000002
【実用新案登録請求の範囲】
【請求項１】
脱水機用内蓋本体に、ハンドル部分と空間を設け、脱水機停止後に容易に取り出し易くした処を特徴とした内蓋
【考案の詳細な説明】
【技術分野】
【０００１】本考案は、ハンドルを設けた脱水機用内蓋に関するものである。
【背景技術】
【０００２】現在販売されている内蓋は、中央部分につまみがある設計になっている。
【考案の開示】
【考案が解決しようとする課題】
【０００３】現行のものは、つまみを引いても内蓋がなかなかとりづらく、端に手を差し込んだりして洗濯物を取り出す事が多く、手や指を痛める事がある。
又、障害者や老人など指先に力が入らない人にとっては、大変扱いづらい現状であり、前述の欠点を解決しようとするものである。
【課題を解決する為の手段】
【０００４】本考案は、内蓋本体の中央にハンドルを設け、脱水機が停止すると、洗濯物は縁に寄せられ、中央部分が空になるので、容易にハンドルを握る事ができる。
【考案の効果】
【０００５】上述の様に、内蓋本体にハンドルが付いた仕様になっているので。力の弱い人でも容易に内蓋を外す事ができる。
【考案を実施するための最良の形態】
【０００６】内蓋の中央に空間を作る事に依り、本体全体の高さを変える必要はなく、又力を分散する為にハンドルの立ち上がり部分を設けているので、強度の心配もない。更にハンドルの４辺は丸みを帯びて成型され握り易くなっている。
【図面の簡単な説明】
【０００７】
【図１】  本考案の脱水機用内蓋の実施例を示す正面図である。
【図２】  本内蓋の断面図でおる。
【図１】
0003123673.tif 000003
【図２】
0003123673.tif 000004
(57)【要約】【課題】  本考案は、人工呼吸及び心臓マッサージが絵や分かり易い説明で記されたカードであって、緊急で慌てた状態でもポケット等から取出し易くする為に、四隅の角が取れたカードの縁に掴もうとする指が容易に引っ掛かる溝を設け、次のページを捲り易くする為に、カードの下部分にページごと位置をずらした突起を施し、更に、紐やチェーン等を通して身体から下げられる様にカードの上部分に穴を開けたことで、常に携帯することが可能となる。【解決手段】  本考案の、ポケット等に入れるか、又は、身体から下げて携帯する事が出来る携帯カード本体１には、人工呼吸及び心臓マッサージが絵や分かり易い説明で記されていて、呼吸停止に陥った人２に対して身近に居る人（自分３）が、携帯カード本体１を見ながら救命処置を施すことに役立つ。【選択図】図４
0003123671.tif 000002
【実用新案登録請求の範囲】
【請求項１】
強度を有するプラスチック等の素材が用いられたカードで、四隅の角が取られ、縁に溝が設けられ、下部分にページごと位置をずらされた突起が施されており、上部分に開けられた穴を有する人工呼吸及び心臓マッサージが絵や文字で記されたことを特徴とする人工呼吸及び心臓マッサージが絵や簡単な解説で記された携帯カード
【考案の詳細な説明】
【技術分野】
【０００１】  本考案は、いつでもポケット等に入れられ、又は、首から下げ、或いは腰のベルトに下げて携帯しても破損しにくいプラスチック等の強度を有する素材が用いられたカードを、緊急で慌てた状態でもポケット等から取出し易くする為に、カードの四隅の角を取り、カードの縁に掴もうとする指が容易に引っ掛かる溝が設けられた人工呼吸及び心臓マッサージが絵や分かり易い説明で記されたカードに関するものである。
【背景技術】
【０００２】  従来、運動施設や公共施設において呼吸停止に陥った人には、ガードマン等の救命処置の訓練を経験した人が人工呼吸及び心臓マッサージを施して救急隊員の到着を待つことで対応していた。
【考案の開示】
【考案が解決しようとする課題】
【０００３】  全ての施設に人工呼吸及び心臓マッサージを出来る人が常時居るとは限らず、又、路上等で呼吸停止に陥る場合も有る為、救急隊員などの専門家が現場に到着するまで、身近に居る人が人工呼吸及び心臓マッサージを施すことが出来る様に、人工呼吸及び心臓マッサージが絵や分かり易い説明で記された携帯カードは、いつでもポケット等に入れられ、又は、首から下げ、或いは腰のベルトに下げて携帯することにより、前述の欠点を解決しようとするものである。
【課題を解決するための手段】
【０００４】  本考案は、人工呼吸及び心臓マッサージを多くの人に身につけてもらえる様に、絵や分かり易い説明が記されたカードは、緊急で慌てた状態でもポケット等から取出し易くする為に、カードの四隅の角を取り、カードの縁に掴もうとする指が容易に引っ掛かる溝を設け、次のページを捲り易くする為、カードの下部分にページごと位置をずらして突起を施し、カードの上部分に穴を開けたことで、その穴に紐やチェーン等を通して身体から下げられて常に携帯できる大きさにしたことにより、問題点を解決している。
【考案の効果】
【０００５】  上述の様に、本考案の人工呼吸及び心臓マッサージが絵や簡単な解説で記された携帯カードは、絵や分かり易い説明が記されているので、緊急で慌てた状態でも理解し易く、落ち着いて人工呼吸及び心臓マッサージを施すことが出来る、更に、ポケット等から取出し易くする為に、カードの四隅の角を取り、カードの縁に掴もうとする指が容易に引っ掛かる溝が設けられ、次のページを捲り易くする為に、カードの下部分にページごと位置をずらして突起を施し、カードの上部分に穴を開けたことで、その穴に紐やチェーン等を通して首から下げ、或いは腰のベルトに下げ、又は、ポケット等に入れられることで、携帯しても邪魔にならない大きさのカードとして役立つ。
【考案を実施するための最良の形態】
【０００６】  救急隊員などの専門家が現場に到着するまで、身近に居る人が人工呼吸及び心臓マッサージを施すことが出来るように、いつでも携帯できるカードには、人工呼吸及び心臓マッサージが絵や分かり易い説明にて記されている、尚、自動車教習所や防災訓練等で、このカードを参加者に配布することで緊急の場合には、カードを見ることにより、忘れかけていた人工呼吸及び心臓マッサージを思い出して緊急救命処置を施すことが可能になる。
【実施例】
【０００７】  呼吸停止に陥った人２に意識の確認をして、反応が無ければ出来るだけ周りの人に１１９へ連絡を依頼する、常にポケット等に入れて携帯している携帯カード本体１をポケットから取り出して見る、呼吸停止に陥った人のアゴ５とオデコ４に自分３の手を添えて気道を開く、呼吸停止に陥った人の口８に自分３の耳を近づけて呼吸停止を確認する、呼吸停止に陥った人のハナ７を自分３の指で摘んだまま呼吸停止に陥った人の口８に自分３の口を隙間無く合わせて息を強く吹き込む（五秒に一回の間隔で二回、人工呼吸）呼吸停止に陥った人の乳首を結んだ線の中央からやや下の位置６に自分３の両手のひらの付け根を重ねて自分３の上体を使って上から押す（三秒に五回の間隔で十五回、心臓マッサージ）、二回の人工呼吸と十五回の心臓マッサージを救急隊員などの専門家が現場に到着するまで繰り返し施す、もちろん呼吸停止に陥った人２の心臓が動き出し、呼吸するようになったら止める。
【図面の簡単な説明】
【０００８】
【図１】本考案の人工呼吸及び心臓マッサージが絵や簡単な解説で記された携帯カード本体の正面図である。
【図２】上述の図１のページを捲った状態の斜視図である。
【図３】本考案の人工呼吸及び心臓マッサージが絵や簡単な解説で記された携帯カードの実施例で人工呼吸の前に意識の確認をしている図である。
【図４】上述の図３の人工呼吸を施している図である。
【図５】本考案の人工呼吸及び心臓マッサージが絵や簡単な解説で記された携帯カードの実施例で心臓マッサージを施す位置を示した図である。
【図６】上述の図５の心臓マッサージを施している図である。
【符号の説明】
【０００９】１    人工呼吸及び心臓マッサージが絵や簡単な解説で記された携帯カード本体
２    呼吸停止に陥った人
３    自分
４    呼吸停止に陥った人のオデコ
５    呼吸停止に陥った人のアゴ
６    呼吸停止に陥った人の乳首を結んだ線の中央からやや下の位置
７    呼吸停止に陥った人のハナ
８    呼吸停止に陥った人の口
９    カードの縁に掴もうとする指が容易に引っ掛かる溝
１０  カードの下部分にページごと位置をずらして施した突起
１１  紐や、チェーン等を通して身体から下げられる様にカードの上部分に開けた穴
１２  カードの角が取れた四隅
【図１】
0003123671.tif 000003
【図２】
0003123671.tif 000004
【図３】
0003123671.tif 000005
【図４】
0003123671.tif 000006
【図５】
0003123671.tif 000007
【図６】
0003123671.tif 000008
(57)【要約】      （修正有）【課題】試料容器内の圧力と温度の変化をボイル・シャルルの法則に従って変換し表示すること。【解決手段】試料容器１に被せた上蓋２の圧力室３内に、測温センサー４と圧力センサー８を夫々設置すると共に、液晶などのディスプレー５によって表示する。圧力室内に注入したガス（空気などの気体）の温度を測温センサーにて測定しているので、例え温度によって圧力計の指示値が変動してもボイル・シャルルの法則に従って温度と圧力との相関性（直線性）により表示値は補正される。【選択図】図２
0003123680.tif 000002
【実用新案登録請求の範囲】
【請求項１】
圧力室内に圧力室のガス或いは気体の温度を測定する温度センサーを設置したことを特徴とする未硬化混練物のエアーメーターの上蓋
【請求項２】
圧力室内に電子圧力センサーを設置し、検出出力をＡ／Ｄ変換してデジタルで表示するようにしたことを特徴とする請求項１記載の未硬化混練物のエアーメーターの上蓋
【考案の詳細な説明】
【技術分野】
【０００１】  本考案はフレッシュコンクリート即ち未硬化混練物のエアーメーターの上蓋に関する。
【背景技術】
【０００２】  従来のフレッシュコンクリートの空気量を測定する装置は、フレッシュコンクリートを収納する試料容器と、この試料容器の口部を密閉する中蓋及びその上部を覆蓋する上蓋とから構成している。
上蓋には中蓋中央部から試料容器内に臨む測温センサーを設置し、容器内の温度を計測するようにしたものがある。【０００３】  また注入気体の圧力を測定し表示する手段としては、ベローズに作用する圧力をブルドン管式圧力計で計測し表示するものが極一般的であった。
【考案の開示】
【考案が解決しようとする課題】
【０００４】  しかし、上記従来例ではセットした時点で試料容器と圧力室が遮断されており、この状態で試料容器内の温度を測定しても、容器内の温度が圧力室内の温度と等しいとは限らず、従って圧力室を試料容器内に向かって開放した時の温度と圧力の相関性は完全にボイル・シャルルの法則を満たしているとは云えない。【０００５】  また従来の圧力表示手段はブルドン管式圧力計（アナログ）であり、数値化して処理することができない許かりでなく、ブルドン管式圧力計では低い圧力での指示値と高い圧力での指示値との間に直線性（比例関係）がなく、温度に影響され易くその結果表示にずれを生ずる。
【課題を解決するための手段】
【０００６】  本考案は、圧力室内に測温センサーを臨ませ、圧力室内のガス（空気などの気体）の温度を直接測定すると共に、電子圧力センサーによって圧力室内の圧力を取り出しパネル表示するようにしている。初期条件として所定の圧力下における圧力室内の注入気体の温度を検出し、温度と圧力の相関性がボイル・シャルルの法則を満足していることを確認し、演算表示するものである。
【考案の効果】
【０００７】  本考案は、圧力室内に注入したガス（空気などの気体）の温度を測温センサーにて測定しているので、例え温度によって圧力計の指示値が変動してもボイル・シャルルの法則に従って温度と圧力との相関性（直線性）により表示値は補正される。【０００８】  圧力検出手段は温度の影響を受けない信頼度の高い電子圧力センサーによって圧力を検出しているので実際の圧力と指示値との間の関係が安定しており、ブルドン管式圧力計による場合のように低圧領域と高圧領域の場合との指示値にずれを生じず、しかも電気的にアナログで検出してデジタル化することによって数値処理が可能となり、その結果を液晶などのパネルでディスプレーができ、汎用性を一層高めることができる。
【考案を実施するための最良の形態】
【０００９】  未硬化コンクリートの試料を収納する試料容器の口部に被せる上蓋の圧力室内に測温センサーと、該圧力室内のガス圧を検出する電子圧力センサーとを設置してなり、測定した温度及びガス圧をボイル・シャルルの法則に従って演算処理し、デジタル表示するようにしてなる。
【実施例１】
【００１０】  図面に示すように試料容器１の口部１′上に上蓋２を載置し、該上蓋２の四方に設置した留め具によって試料容器１に着脱自由に定置し、上蓋２の片方に形成した圧力室３内に測温センサー４の先端を臨ませて設置し、更に該圧力室３の側壁には電子圧力センサー８を設置して圧力室内のガス圧を電気的に検出するようにし、上蓋２の片方上面に付設した液晶その他任意のディスプレー５によってガス圧を表示するようにしている。【００１１】  また、上蓋２の上面中央部にはバルブ７を操作するノブ６を設置して、該バルブ７を軸線下方の底部１０に圧力室３から試料容器１内に通じるように穿設した通孔９に向かって対設してなる。尚、図中符号１１は操作用タッチパネル、１２は安全弁、１３は圧縮空気（ガス）の導入口を夫々示す。【００１２】  次に本考案の一連動について述べると、圧力室３へは別に用意した圧力ボンベその他ポンプ等から圧縮気体（ガス）を供給して所定圧力となるように調整し、所定圧力に達したとき圧縮気体の供給を停止し、その後ノブ６を捻ることによりバルブ７が開き、圧力室３内の圧縮気体（ガス）が瞬間的に試料容器１内へ流入し、圧力室３内の圧力は平衡圧となって低下し試料容器内と等圧状態となる。【００１３】  この時の圧力室３内の圧力低下の程度によって試料中の空気量が演算装置によって直ちに算出される。即ち試料中に存在する空気量の多少により圧力室内の圧力低下が異なることになる。【００１４】  このようにして、圧力室内に所定の圧力を印加した時の該圧力室内の温度と圧力及びバルブを開放後の圧力室の温度と圧力を電気的に検出してＡ／Ｄ変換すると共に、数値処理を行って温度と圧力の相関性つまりボイル・シャルルの法則に基づいて試料中の空気量を演算表示する。
【図面の簡単な説明】
【００１５】
【図１】本考案実施例の正面図
【図２】同上中央切欠側面図
【符号の説明】
【００１６】  １  試料容器
２  上蓋
３  圧力室
４  測温センサー
５  ディスプレー
７  バルブ
８  電子圧力センサー
【図１】
0003123680.tif 000003
【図２】
0003123680.tif 000004
(57)【要約】 【課題】 給排水に使用されるプラスチック製給排水管において、水流による騒音の外部遮断機能並びに断熱機能を備えさせる。【解決手段】内層管１と外層管２との間に、発泡樹脂からなる中間層３を介装すると共に、内層管１の内周面に、螺旋状突条４を一体に形成してなる。【選択図】  図１
0003123757.tif 000002
【実用新案登録請求の範囲】
【請求項１】
内層管と外層管との間に、発泡樹脂からなる中間層を介装すると共に、内層管の内周面に、螺旋状突条を一体に形成してなることを特徴とするプラスチック製給排水管。
【請求項２】
内層管及び外層管並びに発泡樹脂が塩化ビニル製である請求項１記載のプラスチック製給排水管。
【考案の詳細な説明】
【技術分野】
【０００１】
本考案は、給排水に使用されるプラスチック製給排水管で、特に縦管として効果を発揮する給排水管に関するものである。
【背景技術】
【０００２】
プラスチック製給排水管は、所定の強度（厚み）を備えた一重筒体である塩ビ管が多用されている。然しこのような一重体管では、特に空隙である管内に排水が流れる場合には、排水音が発生し、外部には騒音となる。また給水管の場合には、外気温が低い場合には、管表面に結露が生ずるし、露出配管の場合には、凍結防止や保温目的を実現するのに、露出配管を断熱材で被覆しなければならない。
【０００３】
そこで先に内外二重管で中間部分を多数の仕切空間として、断熱性、遮音性を高め、更に管の内周面に、螺旋状突条を一体に形成して排水を渦流とさせるプラスチック製給配水管を提案した（特許文献１）。
【０００４】
【特許文献１】特開２００２−２３５８７７号公報。
【考案の開示】
【考案が解決しようとする課題】
【０００５】
断熱遮音機能を付与するために中間層を空間とした給排水管を提案したが、所定の断熱遮音機能を発揮するためには、相応の厚さを備えた中間層が必要であり、且つ当該中間層は空間であるために、内層管と外層管もその強度上の点から相応の厚さを備える必要がある。従って管全体を見た場合には管厚が大きくなり、管効率（管の太さと流量の効率）の低下は免れない。
【０００６】
そこで本考案は、断熱遮音機能を備えた新規なプラスチック製給排水管を提案したものである。
【課題を解決するための手段】
【０００７】
本考案に係るプラスチック製給排水管は、内層管と外層管との間に、発泡樹脂からなる中間層を介装すると共に、内層管の内周面に、螺旋状突条を一体に形成してなることを特徴とするものである。
【考案の効果】
【０００８】
本考案は上記構成を採用しているものであるから、発泡樹脂で形成される中間層によって断熱遮音機能を備えることになり、中間層を空間に形成した従前の給排水管に比較して、管厚を小さくできるので、軽量化と、管効率の増大が実現するものである。
【考案を実施するための最良の形態】
【０００９】
次に本考案の実施の形態について説明する。実施形態に示したプラスチック管は、内層管１と、外層管２と、中間層３とを備えた構造である。
【００１０】
内層管１と外層管２とは、硬質塩化ビニル系樹脂で、中間層３が塩化ビニル系発泡体樹脂で、熱可塑性樹脂であるので、未固化管状体を金型から押出し、発泡と共に内外層管１，２の冷却固化を行って、内層管１と外層管２との間を発泡した中間層３で満たすものである。
【００１１】
特に内層管１は、内周面に螺旋状突条４も一体に形成してなるものである。
【００１２】
しかして前記プラスチック管は、従前の給排水管と同様に使用するもので、内外層管１，２との間を発泡樹脂からなる中間層３で満たしているものであるから、内層管１内の排水流によって発生する音は、中間層３が遮断層となり外部への伝達を防止する。更に中間層３が断熱機能を備えるので、外被カバーを施すことなく結露防止作用や保温作用を有することになる。
【００１３】
また特に内層管１の内周面に、螺旋状突条４を設けているものであるから、縦配置の配水管として使用すると、下流する排水が、管の中央空間を真っすぐに落下するより、管内壁（内層管内周面）に伝わって落下し、その際に突条４によって落下水流が渦流とされ、管中央部分が空間となり易く、落下水流に対応しての下方からの空気移動がスムーズに行われるので、排水流による音の発生を抑えることができ、騒音低下を更に促進する。
【図面の簡単な説明】
【００１４】
【図１】本考案の実施形態の斜視図。
【図２】同端面図。
【図３】同断面図。
【符号の説明】
【００１５】
１      内層管
２      外層管
３      中間層
４      螺旋状突条
【図１】
0003123757.tif 000003
【図２】
0003123757.tif 000004
【図３】
0003123757.tif 000005